(57)【要約】【課題】簡便にＩＣタグを蓋に取り付けることができると共に耐久性に優れ、蓋の外側から情報読取り可能なマンホール用ＩＣタグ取付装置を提供する。【解決手段】マンホールの蓋（２）の表面に支持孔（２０）を穿ち、これに取付ロッド（１）を嵌入して、取付ロッド（１）を蓋（２）に取り付ける。支持孔（２０）の蓋表面側の開口縁には係止凹部（２１）を設けて、これに取付ロッド（１）の頭部（１０）を収容する。ＩＣタグ（３）はこの取付ロッドの頭部に形成した凹部（１２）内に設置して、蓋（２）の表面側からＩＣタグの情報を読取可能に構成する。【選択図】図２
2008150903.tif 000002
【特許請求の範囲】
【請求項１】
マンホールの蓋の表面に支持孔を穿ち、これに取付ロッドを嵌入して取付ロッドを前記蓋に取り付けると共に、蓋の表面に露出する前記取付ロッドの頭部に形成した凹部内にＩＣタグを設置してなるマンホール用ＩＣタグ取付装置。
【請求項２】
前記支持孔が前記蓋を貫通すると共に、前記取付ロッドを前記蓋の厚みよりも長く形成し、蓋の裏面に突出する取付ロッドの先端のねじ部にナットを締結することにより、取付ロッドを蓋に取り付けてなる請求項１記載のマンホール用ＩＣタグ取付装置。
【請求項３】
前記取付ロッドを支持孔に圧入することにより、取付ロッドを蓋に取り付けてなる請求項１記載のマンホール用ＩＣタグ取付装置。
【請求項４】
前記支持孔の蓋の表面の開口縁に、該支持孔よりも大径の係止凹部を形成し、前記取付ロッドの頭部をこの係止凹部に収容して、該頭部頂面を前記蓋表面よりも低くした状態で、取付ロッドを蓋に取り付けてなる請求項１記載のマンホール用ＩＣタグ取付装置。
【請求項５】
前記取付ロッドの頭部と蓋の間にシール部材を介装して、取付ロッドを蓋に取り付けてなる請求項１記載のマンホール用ＩＣタグ取付装置。
【請求項６】
前記取付ロッドの頭部に非円形の取付ロッド旋回用嵌合部を形成し、この嵌合部の底面に前記凹部を形成して、該凹部内に硬化性の充填材を充填硬化して、凹部内にＩＣタグを設置してなる請求項２記載のマンホール用ＩＣタグ取付装置。
【請求項７】
前記取付ロッドを電波透過性を有する材質で形成する一方、前記取付ロッドの先端より頭部に至る有底穴を形成して前記凹部となし、この凹部内にＩＣタグを設置してなる請求項１記載のマンホール用ＩＣタグ取付装置。
【発明の詳細な説明】
【技術分野】
【０００１】
本発明は、マンホールの蓋にＩＣタグを取り付けるためのマンホール用ＩＣタグ取付装置に関する。
【背景技術】
【０００２】
マンホール自体乃至はマンホールの蓋にＩＣタグを取り付けて、これにマンホールの深さや管径などの諸元情報を記録して管理するシステムが知られている（特許文献１）。
【０００３】
このようなシステムによれば、マンホールの諸元情報や工事履歴の管理が紙媒体の台帳に比べ簡便に行えるが、マンホールの数は膨大にあるため、どのようにＩＣタグを取付ければ能率が良く、また交通の障害にもならないかという問題がある。
【０００４】
また取付け位置も、蓋の裏側やマンホールの中では、読取りのたびに蓋を開けるか作業員がマンホールに入るかする必要があり、手間がかかる。
【０００５】
反面、蓋の表面に取り付けると、蓋の表面は通過車両や風雨にさらされるため、剥がれたり破損したりするおそれが大きい。
【特許文献１】特開２００２−３６６６１６号公報
【発明の開示】
【発明が解決しようとする課題】
【０００６】
本発明は、簡便にＩＣタグを蓋に取り付けることができるうえに、耐久性にも優れ、また蓋を開けずに読取りが可能なマンホール用ＩＣタグ取付装置を提供することを目的とする。
【課題を解決するための手段】
【０００７】
上記課題を解決するために、請求項１記載の発明では、マンホールの蓋の表面に支持孔を穿ち、これに取付ロッドを嵌入して取付ロッドを前記蓋に取り付けると共に、蓋の表面に露出する前記取付ロッドの頭部に形成した凹部内にＩＣタグを設置してなるマンホール用ＩＣタグ取付装置を提供する。
請求項２記載の発明は、前記支持孔が前記蓋を貫通すると共に、前記取付ロッドを前記蓋の厚みよりも長く形成し、蓋の裏面に突出する取付ロッドの先端のねじ部にナットを締結することにより、取付ロッドを蓋に取り付けたことを特徴とする。
請求項３記載の発明は、前記取付ロッドを支持孔に圧入することにより、取付ロッドを蓋に取り付けたことを特徴とする。
請求項４記載の発明は、前記支持孔の蓋の表面の開口縁に、該支持孔よりも大径の係止凹部を形成し、前記取付ロッドの頭部をこの係止凹部に収容して、該頭部頂面を前記蓋表面よりも低くした状態で、取付ロッドを蓋に取り付けたことを特徴とする。
請求項５記載の発明は、前記取付ロッドの頭部と蓋の間にシール部材を介装して、取付ロッドを蓋に取り付けたことを特徴とする。
請求項６記載の発明は、前記取付ロッドの頭部に非円形の取付ロッド旋回用嵌合部を形成し、この嵌合部の底面に前記凹部を形成して、該凹部内に硬化性の充填材を充填硬化して、凹部内にＩＣタグを設置したことを特徴とする。
請求項７記載の発明は、前記取付ロッドを電波透過性を有する材質で形成する一方、前記取付ロッドの先端より頭部に至る有底穴を形成して前記凹部となし、この凹部内にＩＣタグを設置したことを特徴とする。
【発明の効果】
【０００８】
請求項１に記載の発明によれば、蓋の表面に露出する取付ロッドの頭部に形成した凹部内にＩＣタグを設置していることにより、ＩＣタグに記録した情報を蓋を開放せずに蓋の表面側から読取可能なため、情報の読取りを簡便かつ迅速に行える。また、ＩＣタグが設置されている取付ロッドを、蓋に形成した支持孔に嵌入して取り付けるという簡易な取付構造であるため、取付作業に手間を要さず簡便かつ迅速に行うことができる。
請求項２記載の発明によれば、蓋を貫通する支持孔に蓋の厚みよりも長く形成した取付ロッドを挿通し、蓋の裏面に突出する取付ロッドの先端のねじ部にナットを締結して取付ロッドを蓋に取り付けることにより、取付ロッドを支持孔に嵌入してナットを締結するという簡易な取付構造で、迅速かつ確実に取付作業を行うことができて作業時間を短縮できると共に安定した取付状態を実現でき、取付ロッドの持ち去りや自然脱落などによる紛失のおそれが少ない。
請求項３記載の発明によれば、蓋に穿った支持孔に取付ロッドを圧入して、蓋に取付ロッドを取り付けたことにより、蓋の解放を必要としない簡便な取付構造が実現でき、取付作業を迅速に行って作業時間を短縮できると共に安定した取付状態を維持できて取付ロッドの持ち去りや自然脱落などによる紛失のおそれが少ない。
請求項４記載の発明によれば、取付ロッドの頭部が蓋の表面の開口縁に形成した係止凹部に収容されることにより、取付ロッドを蓋に取り付けた状態で頭部頂面が蓋表面よりも低く位置し、取付ロッドが車両等の荷重を直に受けることが無く、耐久性に優れる。
請求項５記載の発明によれば、取付ロッドの頭部と蓋の間にシール部材を介装したことにより、蓋に貫通穴を形成してもマンホール内部の密閉性が保持され、雨水等の不明水が支持孔から蓋内に浸入するのを防止することができる。
請求項６に記載の発明によれば、取付ロッドの頭部に非円形の取付ロッド旋回用嵌合部を形成したことにより、ドライバーなどを取付ロッドに適用可能となって作業性が向上し、取付ロッドを蓋に簡便に取り付けることができると共に、この嵌合部の底面に凹部を形成し充填材を充填硬化してＩＣタグを設置しているため、ＩＣタグが風雨にさらされることがなく、また車両等の荷重が直接かかることがなく耐久性を向上することができる。
請求項７記載の発明によれば、電波透過性を有する材質により取付ロッドを形成すると共に取付ロッドの先端より頭部に至る有底穴を凹部とし、この凹部内にＩＣタグを設置することにより、ＩＣタグは取付ロッドの内部に完全に収容され、優れた耐久性を得ると共にＩＣタグの持ち去り等による紛失のおそれがなく、また、蓋の開放等の必要無くＩＣタグの情報の読取作業を行って、簡便かつ迅速な情報の読取りが可能である。
【発明を実施するための最良の形態】
【０００９】
以下、図１乃至図９を参照して本発明に係るマンホール用ＩＣタグ取付装置について説明する。
【００１０】
まず、図１及び図２を参照して、マンホール用ＩＣタグ取付装置の第１の実施形態について説明する。図１は、本発明に係る取付ロッドの第１の実施形態を示す斜視図である。
取付ロッド１は、皿キャップ形状の頭部１０と、ねじ山を有するねじ部１１とによりボルト状に形成する。頭部１０の頂面には、ＩＣタグ３を設置するための凹部１２と、嵌合部１３とを形成する。ねじ部１１は、取り付けるべきマンホールの蓋の厚みよりも長く形成する。
【００１１】
本実施形態の凹部１２は六角柱形状の有底穴により構成している。この凹部１２に直方体形状のＩＣタグ３（破線図示）を完全に収容する。この凹部１２に、硬化性の充填材３０を充填してＩＣタグ３を完全に覆い、充填材３０を硬化してＩＣタグ３を凹部１２に設置する。
【００１２】
充填材３０を凹部１２の途中部まで充填して硬化し、この充填材３０の上面を、取付ロッド１を螺回するために六角レンチを嵌合可能な六角柱形状の嵌合部１３の底面に形成する。
【００１３】
凹部１２と嵌合部１３を構成する有底穴は十分な深さに形成して、充填材３０によりＩＣタグ３を完全に覆うことができると共に、六角レンチにより取付ロッド１を旋回可能な深さの嵌合部１３を確保する。
【００１４】
ＩＣタグ３には、取り付けるべき蓋に関する諸元情報をあらかじめ記録しておくことができる。この諸元情報としては、例えば、その蓋のマンホールの深さ、管径、設置年、固有番号、管路の流出入本数や流出入の方角、合流管、汚水管及び雨水管などの管種情報のほかに、地震対策工事などを施工済かどうかなどの情報がある。
【００１５】
次に、図２を参照して、本発明に係るマンホール用ＩＣタグ取付装置について説明する。図２は、本発明に係るマンホール用ＩＣタグ取付装置の第１の実施形態を示す側面断面図である。
【００１６】
蓋２には、蓋２の表面から裏面までを貫通する支持孔２０を穿つ。また、支持孔２０の蓋表面側の周縁に、支持孔２０よりも大径に開口するテーパ形状の係止凹部２１を形成する。係止凹部２１は、取付ロッド１の頭部１０を収容可能な深さと大きさに形成する。
【００１７】
この支持孔２０に取付ロッド１のねじ部１１を嵌入して係止凹部２１に頭部１０を収容する。支持孔２０に挿通されたねじ部１１は蓋２の裏面側に突出し、このねじ部１１にナット１４を締結することにより、取付ロッド１を蓋２に取り付ける。
係止凹部２１は充分な深さに形成しておき、取付ロッド１を蓋２に取り付けたときに、頭部１０の頂面を蓋２の表面よりも低く位置させる。
【００１８】
本実施形態において、取付ロッド１の頭部１０は、皿キャップ形状に形成しているが、ボタンキャップ形状や六角柱形状に形成してもよい。また嵌合部１３は、六角柱形状に形成しているが、四角柱形状などの多角柱形状に形成してもよい。
【００１９】
蓋２の係止凹部２１は、取付ロッド１の頭部１０の形状に合わせて支持孔２０よりも大径に開口するテーパ形状に形成しているが、取付ロッド１の頭部１０の形状が六角柱形状やボタンキャップ形状の場合には、その頭部形状に合わせて係止凹部を形成する。
【００２０】
また、本実施形態においては、六角柱形状の凹部１２を形成し、その上部を嵌合部１３としているが、嵌合部を六角柱形状などの非円形状に形成し、その底部に円柱形状の凹部を形成する構成としてもよい。
【００２１】
嵌合部を六角形等の多角形状やすり割りにより構成し、その底部側に円柱形状の凹部を設ける場合、十分な深さの嵌合部と凹部とを容易に確保できると共に、加工も容易でありコスト的に有利となる。
【００２２】
たとえば、図３は取付ロッドの第２の実施形態を示す斜視図である。取付ロッドの第２の実施形態は、図３に示したように、取付ロッド１ａの頭部１０に嵌合部としてすりわり１５を形成し、そのすりわり１５の底部側にさらに円柱形状の凹部１２を形成している。
【００２３】
以下に、上記のごとく構成したマンホール用ＩＣタグ取付装置の作用効果について説明する。
【００２４】
上記のごとく構成したマンホール用ＩＣタグ取付装置は、ＩＣタグが設置されている取付ロッドを蓋に形成した支持孔に嵌入してナットを締結するという簡易な取付構造により、迅速かつ確実な取付作業が可能となり、作業時間を短縮できると共に安定した取付状態を実現できて振動や衝撃などによって脱落することがなく、また、持ち去り等のおそれも少ない。
【００２５】
取付ロッドの頭部は蓋に形成した係止凹部に収容され、頭部頂面が蓋の表面よりも低い位置にあるため、車両等の荷重を頭部に直接に受けることが無く、耐久性に優れる。
【００２６】
ＩＣタグは、頭部頂面を開口して形成した凹部内に設置されているため、蓋の表面側からの情報読取が可能で、蓋を開放せずに読取作業を行って、簡便かつ迅速な情報の読取作業が可能であると共に、取付ロッドは金属製でもよく、安価な汎用品で形成することができてコスト的に有利となる。
【００２７】
取付ロッドの頭部頂面には六角ドライバや六角レンチが嵌合する六角柱形状の嵌合部を形成しているため、取付ロッドを蓋に簡便に取り付けて取付作業の作業性の向上を図れると共に、この嵌合部の底面にＩＣタグを設置する凹部を形成しているため、ＩＣタグが風雨にさらされることがなく、また車両等の荷重が直接かかることがなく耐久性を向上できる。
【００２８】
次に、取付ロッドの蓋への取付方法について説明する。取り付けロッドの蓋への取付方法は３つの段階からなる。
【００２９】
まず、取付ロッド１にＩＣタグ３を取り付けるＩＣタグ設置段階について説明する。
最初に、取付ロッド１にＩＣタグ３を設置する凹部１２を形成する。図１乃至図３では、凹部１２は、取付ロッド１の頭部１０の頂面を開口して形成されている。
次に、この凹部１２にＩＣタグ３を設置する。図例では、凹部１２にＩＣタグ３を収容して硬化性樹脂などの充填材３０を充填し、この充填材３０を紫外線照射や加熱などの方法により硬化してＩＣタグ３を凹部１２内に設置固定している。
ＩＣタグ３には、取り付けるべき蓋２に関する情報をあらかじめ記録しておくこともできるし、取付ロッド１に固定した後や蓋２に取付けた後に情報を記録してもよい。
【００３０】
次に、蓋２に支持孔２０を形成する支持孔形成段階について説明する。
まず、支持孔２０は、ドリルなどを用いて蓋２に穴を開けて形成する。図例では、蓋２を貫通する貫通穴により支持孔２０を形成している。
そして、支持孔２０の蓋表面側に、取付ロッド１の頭部１０を係止するための係止凹部２１を形成する。この係止凹部２１は、支持孔２０を形成したときに用いたドリルよりも径の大きいドリルを用いて支持孔２０の途中部まで穿孔するなどしてテーパ状に形成し、支持孔２０よりも大径に開口している。
【００３１】
最後に、支持孔２０に取付ロッド１を取り付けるロッド取付段階について説明する。
取付ロッド１を蓋２に取り付ける際には、まず蓋２を開放して、取付ロッド１のねじ部１１を蓋２の表面側から支持孔２０に嵌入する。支持孔２０にねじ部１１を挿通して蓋２の裏面に突出し、このねじ部１１にナット１４を締結して、取付ロッド１を蓋２に固定する。
【００３２】
以下に、上記した蓋へのＩＣタグ取付方法の効果について説明する。
【００３３】
上記の蓋へのＩＣタグ取付方法によれば、ＩＣタグを取付ロッドにあらかじめ固定しておくことができるため、取付作業を行う現場では、蓋に支持孔と係止凹部とを形成し、これに取付ロッドを固定するだけでよい。したがって、簡易な作業によりマンホールの蓋へのＩＣタグの取付を確実かつ迅速に行うことができ、効率的な作業により取付時の道路等の占有時間の短縮が可能となる。
【００３４】
次に、図４及び図５を参照してマンホール用ＩＣタグ取付装置の第２の実施形態について説明する。図４は、取付ロッドの第３の実施形態を示す斜視図である。
【００３５】
取付ロッド４は、六角柱形状の頭部４０と、ねじ山を有するねじ部４１とによりボルト状に形成する。頭部４０の頂面には、ＩＣタグ３を設置するための凹部４２を形成する。
【００３６】
本実施形態の凹部４２は、円柱形状の有底穴により構成する。この凹部４２に直方体形状のＩＣタグ３（破線図示）を完全に収容し、硬化性の充填材３０を充填してＩＣタグ３を完全に覆い、充填材３０を硬化してＩＣタグ３を凹部４２に設置する。
【００３７】
本実施形態においては、取付ロッド４の頭部４０が六角柱状で、スパナやめがねレンチ等により取付ロッド４を旋回可能であるため、凹部４２を円柱形状に形成することができる。この場合、多角柱形状に比べて加工が容易であり、コスト的に有利である。
【００３８】
次に図５を参照して、マンホール用ＩＣタグ取付装置の第２の実施形態について説明する。図５は、マンホール用ＩＣタグ取付装置の第２の実施形態を示す側面断面図である。
【００３９】
蓋５には、蓋５の表面から裏面までを貫通する支持孔５０を形成する。また、この支持孔５０を囲むように環状のシール部材４５を配置する。
支持孔５０に取付ロッド４を嵌入して、蓋５の表面と頭部４０との間にシール部材４５を介装した状態で取付ロッド４を蓋５に取り付ける。
【００４０】
以下に、上記のごとく構成したマンホール用ＩＣタグ取付装置の第２の実施形態の効果について説明する。
【００４１】
上記のごとく構成したマンホール用ＩＣタグ取付装置は、取付ロッドの頭部と蓋との間にシール部材を介装したことにより、迅速かつ確実な作業性を損なうことなく、蓋を貫通する支持孔からマンホール内に雨水等の不明水が浸入するのを防止することができる。
【００４２】
特に下水道においては、マンホールの内部に雨水が浸入して下水に混入すると、下水処理費用の増大を招くため、このような不明水の浸入を防止することは重要である。
【００４３】
次に、図６及び図７を参照してマンホール用ＩＣタグ取付装置の第３の実施形態について説明する。図６は、取付ロッドの第４の実施形態を示す斜視図であり、図７は、マンホール用ＩＣタグ取付装置の第３の実施形態を示す側面断面図である。
【００４４】
図６に示したように、取付ロッド６は、皿キャップ形状の頭部６０と、棒状のロッド部６１とにより形成する。この取付ロッド６は、樹脂などの電波透過性を有する材質で形成する。
【００４５】
凹部６２は、図７に示したように、ロッド部６１の先端を開口し、頭部６０にまで至る深さの有底穴により構成している。この凹部６２にＩＣタグ３を収容して穴底に設置し、硬化性の充填材３０を充填硬化してＩＣタグ３を固定する。
【００４６】
蓋７には、図７に示すように、有底の支持孔７０を形成し、これにロッド部６１を嵌入する。この支持孔７０は、その径を、取付ロッド６のロッド部６１と同じか又はロッド部６１よりもわずかに小さく形成し、取付ロッド６の頭部６０をハンマーなどで叩いて支持孔７０に圧入することにより、取付ロッド６を蓋７に取り付ける。
【００４７】
取付ロッド６を支持孔７０に圧入する際に、支持孔７０の穴壁に接着剤等を付着しておいてもよい。接着剤を付着しておくことにより、支持孔７０と取付ロッド６との寸法精度が高くなくてもよく、容易に取付作業を行うことができると共に取付ロッド６を確実に支持孔７０に取り付けることができる。
【００４８】
以下に、上記のごとく構成した第４の実施形態に係る取付ロッドの作用効果について説明する。
【００４９】
この取付ロッドは、電波透過性の素材により形成されると共に凹部がマンホール内部側に形成されているため、ＩＣタグやこれを覆う充填材が風雨や車両の荷重などから受ける影響が少なく、耐久性に優れる。
【００５０】
蓋に取り付けロッドよりも同径又はわずかに小径の支持孔を形成し、取付ロッドのロッド部を支持孔に圧入して取り付けることにより、取付作業の際に蓋の開放を要せず、簡便な方法により迅速に取付作業を行って作業効率の向上を図ることができる。
【００５１】
取付ロッドは支持孔に嵌め込まれているため衝撃や振動等によって脱落しにくく、持ち去りや自然脱落などにより紛失するおそれがない。
【００５２】
本実施形態においては、支持孔は有底に形成したが、蓋を貫通させて形成してもよい。また、凹部はロッド部の底部側を開口して形成したが、頭部頂面側を開口して形成してもよい。
【００５３】
本実施形態のように、取付ロッドを支持孔に圧入して取り付ける場合、取付の先端を先細のテーパ形状に形成すると、圧入しやすくなって作業性を向上させることができる。
【００５４】
次に、図８及び図９を参照して取付ロッドの第５の実施形態について説明する。図８は、取付ロッドの第５の実施形態を示す斜視図であり、図９は、第５の実施形態の取付ロッドを適用したマンホール用ＩＣタグ取付装置の側面断面図である。
【００５５】
取付ロッド８は、図８に示すように、皿キャップ形状の頭部８０と、ねじ山を有するねじ部８１とにより形成する。この取付ロッド８は、樹脂などの電波透過性を有する材質で形成する。取付ロッド８の頭部８０には、嵌合部としてすりわり８５を形成する。
【００５６】
凹部８２は、図９に示すように、ねじ部８１の先端を開口し、頭部８０にまで至る深さの有底穴により構成する。この凹部８２にＩＣタグ３を収容して穴底に設置し、硬化性の充填材３０を充填硬化してＩＣタグ３を固定する。
【００５７】
蓋２には、図９に示すように、蓋２の表面から裏面までを貫通する支持孔２０を形成する。また、支持孔２０の蓋表面側に、支持孔２０よりも大径に開口するテーパ形状の係止凹部２１を形成する。係止凹部２１は、取付ロッド８の頭部８０が収まる深さと大きさに形成する。
【００５８】
この支持孔２０に取付ロッド８のねじ部８１を嵌入する。取付ロッド８のねじ部８１を支持孔２０に挿通すると共に係止凹部２１に頭部８０を収容し、そして、取付ロッドの頭部８０に形成したすり割り８５にマイナスドライバーなどを嵌合すると共に蓋２の裏面側に突出するねじ部８１にナット８４を締結することにより、取付ロッド１を蓋２に取り付ける。
係止凹部２１は充分な深さに形成しておき、取付ロッド８を蓋２に取り付けたときに、頭部８０の頂面を蓋２の表面よりも低く位置させる。
【００５９】
以下に、上記のごとく構成した第５の実施形態に係る取付ロッドの作用効果について説明する。
【００６０】
この取付ロッドは、電波透過性の素材により形成されると共に凹部がマンホール内部側に形成されているため、ＩＣタグやこれを覆う充填材が風雨や車両の荷重などから受ける影響が少なく、耐久性に優れる。
【００６１】
また、取付ロッドの頭部頂面にすり割りを形成しているため、取付ロッドを蓋に簡便に取り付けることができ、取付作業の作業性の向上を図れる。
【００６２】
本発明に係るマンホール用ＩＣタグ取付装置は、マンホールだけでなく、ハンドホールなどに適用することもできる。
【図面の簡単な説明】
【００６３】
【図１】本発明に係る取付ロッドの第１の実施形態を示す斜視図である。
【図２】本発明に係るマンホール用ＩＣタグ取付装置の第１の実施形態を示す側面断面図である。
【図３】取付ロッドの第２の実施形態を示す斜視図である。
【図４】取付ロッドの第３の実施形態を示す斜視図である。
【図５】マンホール用ＩＣタグ取付装置の第２の実施形態を示す側面断面図である。
【図６】取付ロッドの第４の実施形態を示す斜視図である。
【図７】マンホール用ＩＣタグ取付装置の第３の実施形態を示す側面断面図である。
【図８】取付ロッドの第５の実施形態を示す斜視図である。
【図９】第５の実施形態に係る取付ロッドを適用したマンホール用ＩＣタグ取付装置の側面断面図である。
【符号の説明】
【００６４】
１、１ａ、４、６、８      取付ロッド
１０、４０、６０、８０    頭部
１１、４１、８１          ねじ部
１２、４２、６２、８２    凹部
１３                      嵌合部
１４、４４、８４          ナット
１５、８５                すりわり
２、５、７                蓋
２０、５０、７０          支持孔
２１、５１、７１          係止凹部
３                        ＩＣタグ
３０                      充填材
４５                      シール部材
６１                      ロッド部
【図１】
2008150903.tif 000003
【図２】
2008150903.tif 000004
【図３】
2008150903.tif 000005
【図４】
2008150903.tif 000006
【図５】
2008150903.tif 000007
【図６】
2008150903.tif 000008
【図７】
2008150903.tif 000009
【図８】
2008150903.tif 000010
【図９】
2008150903.tif 000011